(57)【要約】【課題】視聴者が要求する映像情報を視聴者自らシナリオを描いて編集することなく、視聴者が要求する形式に編集された映像情報を容易に視聴することができ、かつ、映像情報の管理を不要とする。【解決手段】入力された所定映像シーンを指定する番組キーワードに基づいて、映像配信装置２０が配信する映像情報から番組キーワードに応じた映像シーンを含む映像情報を検索する映像検索手段１１と、検索された映像情報に含まれる映像シーンを特定する属性情報を収集する映像属性情報収集手段１２と、入力された番組要求条件に合致するように、映像属性情報収集手段１２により収集された一又は二以上の属性情報によって特定される一又は二以上の映像シーンを抽出し、結合することで番組シナリオ情報を作成する番組シナリオ作成手段１７と、作成された番組シナリオ情報を送信する番組シナリオ送信手段１９とを備える。【選択図】      図１
2004318614.tif 000002
【特許請求の範囲】
【請求項１】
利用者側端末装置から入力された所定映像シーンを指定する番組キーワードに基づいて、一又は二以上の映像配信装置が配信する映像情報から前記番組キーワードに応じた映像シーンを含む映像情報を検索する映像検索手段と、
前記映像検索手段により検索された映像情報に含まれる前記映像シーンを特定する属性情報を収集する映像属性情報収集手段と、
前記利用者側端末装置から入力された番組要求条件に合致するように、前記映像属性情報収集手段により収集された一又は二以上の属性情報によって特定される一又は二以上の映像シーンを抽出し、結合することで番組シナリオ情報を作成する番組シナリオ作成手段と、
前記番組シナリオ作成手段により作成された番組シナリオ情報を送信する番組シナリオ送信手段と
を備える番組シナリオ配信装置。
【請求項２】
請求項１に記載の番組シナリオ配信装置において、
前記映像検索手段は、利用者側端末装置から入力された所定映像シーンを指定する番組キーワードに基づいて、一又は二以上の映像配信装置が配信する映像情報を予め蓄積した映像情報蓄積装置から前記番組キーワードに応じた映像シーンを含む映像情報を検索する
ことを特徴とする番組シナリオ配信装置。
【請求項３】
請求項２に記載の番組シナリオ配信装置において、
前記映像検索手段が、前記映像情報蓄積装置から前記番組キーワードに応じた映像シーンを含む映像情報を検索できない場合に、
前記映像属性情報収集手段は、前記一又は二以上の映像配信装置により配信される映像情報から前記属性情報を収集する
ことを特徴とする番組シナリオ配信装置。
【請求項４】
請求項３に記載の番組シナリオ配信装置において、
前記映像検索手段が前記映像情報蓄積装置から前記番組キーワードに応じた映像シーンを含む映像情報を検索できない場合に、前記一又は二以上の映像配信装置から前記番組キーワードに応じた映像シーンを含む映像情報を受信する映像受信手段と、
前記映像受信手段により受信した映像情報から映像シーンごとの属性情報を抽出する映像属性抽出手段と、
前記映像属性抽出手段により抽出された属性情報を前記映像属性情報収集手段に付加する映像属性付加手段と
を備え、
前記映像属性情報収集手段は、前記映像属性付加手段により付加された属性情報を得ることにより前記属性情報を収集する
ことを特徴とする番組シナリオ配信装置。
【請求項５】
請求項１〜４のいずれか一項に記載の番組シナリオ配信装置において、
前記番組シナリオ作成手段により作成された番組シナリオ情報を蓄積するとともに、該蓄積された番組シナリオ情報に基づいて個人嗜好を分析する個人嗜好分析手段を備え、
前記番組シナリオ作成手段は、前記個人嗜好分析手段により分析された個人嗜好を反映させて、番組シナリオ情報を作成する
ことを特徴とする番組シナリオ配信装置。
【請求項６】
番組キーワード及び番組要求条件を入力するとともに、映像情報の編集，再生を行う利用者側端末装置と、入力された前記番組キーワードに応じて映像情報を送信するとともに、入力された前記番組要求条件に基づいて作成した番組シナリオ情報を配信する番組シナリオ配信装置とを含む番組シナリオ配信システムであって、
前記番組シナリオ配信装置は、
前記利用者側端末装置から入力された所定映像シーンを指定する番組キーワードに基づいて、一又は二以上の映像配信装置が配信する映像情報から前記番組キーワードに応じた映像シーンを含む映像情報を検索する映像検索手段と、
前記映像検索手段により検索された映像情報に含まれる前記映像シーンを特定する属性情報を収集する映像属性情報収集手段と、
前記利用者側端末装置から入力された番組要求条件に合致するように、前記映像属性情報収集手段により収集された一又は二以上の属性情報によって特定される一又は二以上の映像シーンを抽出し、結合することで番組シナリオ情報を作成する番組シナリオ作成手段と、
前記番組シナリオ作成手段により作成された番組シナリオ情報を送信する番組シナリオ送信手段と
を備え、
前記利用者側端末装置は、
前記番組キーワードの入力に応じて前記番組シナリオ配信装置により検索された映像情報を受信する映像受信手段と、
前記映像受信手段により受信された映像情報を格納する映像情報格納手段と、
前記番組要求条件の入力に応じて前記番組シナリオ配信装置により配信された番組シナリオ情報に基づいて、前記映像情報格納手段に格納された映像情報を編集する映像編集手段と、
前記映像編集手段により編集された映像情報を再生する番組再生手段と
を備える
ことを特徴とする番組シナリオ配信システム。
【請求項７】
利用者側端末装置から入力された所定映像シーンを指定する番組キーワードに基づいて、一又は二以上の映像配信装置が配信する映像情報から前記番組キーワードに応じた映像シーンを含む映像情報を検索する映像検索ステップと、
前記映像検索ステップで検索された映像情報に含まれる前記映像シーンを特定する属性情報を収集する映像属性情報収集ステップと、
前記利用者側端末装置から入力された番組要求条件に合致するように、前記映像属性情報収集ステップで収集された一又は二以上の属性情報によって特定される一又は二以上の映像シーンを抽出し、結合することで番組シナリオ情報を作成する番組シナリオ作成ステップと、
前記番組シナリオ作成ステップで作成された番組シナリオ情報を送信する番組シナリオ送信ステップと
を含む番組シナリオ配信方法。
【請求項８】
利用者側端末装置から入力された所定映像シーンを指定する番組キーワードに基づいて、一又は二以上の映像配信装置が配信する映像情報から前記番組キーワードに応じた映像シーンを含む映像情報を検索する映像検索ステップと、
前記映像検索ステップで検索された映像情報に含まれる前記映像シーンを特定する属性情報を収集する映像属性情報収集ステップと、
前記利用者側端末装置から入力された番組要求条件に合致するように、前記映像属性情報収集ステップで収集された一又は二以上の属性情報によって特定される一又は二以上の映像シーンを抽出し、結合することで番組シナリオ情報を作成する番組シナリオ作成ステップと、
前記番組シナリオ作成ステップで作成された番組シナリオ情報を送信する番組シナリオ送信ステップと
を番組シナリオ配信装置に実行させる番組シナリオ配信プログラム。
【発明の詳細な説明】
【０００１】
【発明の属する技術分野】
本発明は、番組シナリオ配信装置、番組シナリオ配信システム、番組シナリオ配信方法及び番組シナリオ配信プログラムに関し、より詳しくは、音楽や映像等からなる番組を利用者の趣味、嗜好に応じて通信ネットワークを介して配信する番組シナリオ配信装置、番組シナリオ配信システム、番組シナリオ配信方法及び番組シナリオ配信プログラムに関する。
【０００２】
【従来の技術】
近年、インターネットの普及により、様々な情報をインターネット経由で得ることが可能になってきた。
音楽や映像等からなる番組を配信する情報配信システムにおいても、パーソナルコンピュータ（ＰＣ）等の利用者側端末装置からの視聴者の配信要求に基づいて、インターネット等の通信ネットワークを経由してｗｗｗ（Ｗｏｒｌｄ  Ｗｉｄｅ  Ｗｅｂ）サーバに接続し、このｗｗｗサーバに格納されている曲データあるいはビデオ（映像）データ等からなる番組を受信して、利用者側端末装置でこの受信データを基にして番組を再生している。
【０００３】
しかしながら、従来の情報配信システムでは、視聴者は、上述した情報配信のサービスを利用するには、まず、そのサービスを提供するサイト、即ち、プッシュコンテンツプロバイダを探す必要がある。また、提供されてきた情報が本当に自分の要求する情報か否かを視聴者が一々確認する必要があり、場合によっては提供されてきた情報の中から自分の希望にそぐわない情報も含まれる可能性があり、それを仕分けるには苦労する。さらに、変化する趣味嗜好にあわせてサービス事業者やメニューを変えなければ必要な情報は取得できない。
【０００４】
そこで、近年では、視聴者の好みデータファイルをサーバの記憶装置に保持しておき、サーバからコンテンツがプッシュされたとき、利用者側端末装置は、好みデータファイル及びコンテンツのメタデータに従ってコンテンツを利用者側端末装置の記憶装置に登録するか否かを決定し、また、利用者側端末装置は、視聴者のアクセス傾向に応じて、好みデータファイルの各項目の優先度を自動的に更新する技術が提案されている（例えば、特許文献１参照。）。
このような情報配信システムによれば、更新した優先度情報に従ってサーバからプッシュされるコンテンツを取捨選択することができるため、ネットワークを介して視聴者にその趣味嗜好に応じて必要な情報のみを提供できる。
【０００５】
【特許文献１】
特開２００２−１４９６８８号公報（第６−９頁、第２図）
【０００６】
【発明が解決しようとする課題】
しかしながら、以上のような従来の情報配信システムでは、サーバからプッシュされるコンテンツを取捨選択できるのみであるため、配信される情報が音声や映像などの情報（以下、「映像情報」という。）である場合に、取捨選択されたコンテンツから視聴者の嗜好に応じた編集を行うことができないといった問題があった。
また、利用者側端末装置では、ネットワークを介して提供される多数の映像情報の内容まで把握できないため、利用者側端末装置で視聴者の嗜好に応じた編集を行うことは極めて困難であるといった問題があった。
さらに、サービス提供業者の所有するサーバでは、複数の映像情報を収集しなければならず、映像情報の管理が煩雑になるといった問題があった。
【０００７】
本発明は、以上のような問題を解決するためになされたものであり、視聴者が要求する映像情報を視聴者自らシナリオを描いて編集することなく、視聴者が要求する形式に編集された映像情報を容易に視聴することができ、かつ、映像情報の管理を不要とする番組シナリオ配信装置、番組シナリオ配信システム、番組シナリオ配信方法及び番組シナリオ配信プログラムの提供を目的とする。
【０００８】
【課題を解決するための手段】
上記目的を達成するため、本発明の請求項１に記載の番組シナリオ配信装置は、利用者側端末装置から入力された所定映像シーンを指定する番組キーワードに基づいて、一又は二以上の映像配信装置が配信する映像情報から番組キーワードに応じた映像シーンを含む映像情報を検索する映像検索手段と、映像検索手段により検索された映像情報に含まれる映像シーンを特定する属性情報を収集する映像属性情報収集手段と、利用者側端末装置から入力された番組要求条件に合致するように、映像属性情報収集手段により収集された一又は二以上の属性情報によって特定される一又は二以上の映像シーンを抽出し、結合することで番組シナリオ情報を作成する番組シナリオ作成手段と、番組シナリオ作成手段により作成された番組シナリオ情報を送信する番組シナリオ送信手段とを備える構成としてある。
【０００９】
このような構成にすれば、番組シナリオ配信装置は、利用者側端末装置から入力された所定映像シーンを指定する番組キーワードに応じた映像シーンを含む映像情報を検索できるとともに、その映像情報から映像シーンを特定する属性情報を収集し、利用者側端末装置から入力された番組要求条件に基づいて、番組シナリオ情報を作成し、出力することができる。
このため、視聴者は、所望の番組キーワードと映像情報の番組要求条件とを番組シナリオ配信装置に利用者側端末装置を介して入力すれば、要求する映像情報を視聴者自らシナリオを描いて編集することなく、視聴者が要求する形式に編集された映像情報を容易に取得することができる。また、番組シナリオ配信装置は、必要となる映像コンテンツの属性情報を収集するだけであるので、一又は二以上の映像配信装置により配信される多大な映像情報を管理把握する必要はない。
【００１０】
本発明の請求項２に記載の番組シナリオ配信装置は、請求項１に記載の番組シナリオ配信装置において、映像検索手段が、利用者側端末装置から入力された所定映像シーンを指定する番組キーワードに基づいて、一又は二以上の映像配信装置が配信する映像情報を予め蓄積した映像情報蓄積装置から番組キーワードに応じた映像シーンを含む映像情報を検索する構成としてある。
【００１１】
このような構成にすれば、番組シナリオ配信装置は、映像検索手段により映像情報蓄積装置から番組キーワードに応じた映像シーンを含む映像情報を検索することができる。
このため、番組シナリオ配信装置は、利用者側端末装置から番組キーワードが入力される都度、この番組キーワードに応じた映像情報を映像配信装置にアクセスして取得しなくても、映像情報蓄積装置から一括して検索することができ、効率良く検索処理を実行することができる。
【００１２】
本発明の請求項３に記載の番組シナリオ配信装置は、請求項２に記載の番組シナリオ配信装置において、映像検索手段が、映像情報蓄積装置から番組キーワードに応じた映像シーンを含む映像情報を検索できない場合に、映像属性情報収集手段は、一又は二以上の映像配信装置により配信される映像情報から属性情報を収集する構成としてある。
【００１３】
番組シナリオ配信装置をこのような構成にすれば、映像属性情報収集手段は、映像情報蓄積装置に蓄積されていない映像情報を要求する番組キーワードが入力された場合に、一又は二以上の映像配信装置から要求された映像情報から映像シーンを特定する属性情報を取得することができる。
このため、番組シナリオ配信装置は、はじめに映像情報蓄積装置からの映像情報の検索処理を実行し、ここで検索されなかった最小限の映像情報についてのみ一又は二以上の映像配信装置から映像情報の属性を検索するので、できる限り効率良く検索処理を行うことができる。
【００１４】
本発明の請求項４に記載の番組シナリオ配信装置は、請求項３に記載の番組シナリオ配信装置において、映像検索手段が映像情報蓄積装置から番組キーワードに応じた映像シーンを含む映像情報を検索できない場合に、一又は二以上の映像配信装置から番組キーワードに応じた映像シーンを含む映像情報を受信する映像受信手段と、映像受信手段により受信した映像情報から映像シーンごとの属性情報を抽出する映像属性抽出手段と、映像属性抽出手段により抽出された属性情報を映像属性情報収集手段に付加する映像属性付加手段とを備え、映像属性情報収集手段は、映像属性付加手段により付加された属性情報を得ることにより、映像情報を配信する一又は二以上の映像配信装置から番組キーワードに応じた映像シーンを含む映像情報から映像シーンを特定する属性情報を収集する構成としてある。
【００１５】
番組シナリオ配信装置をこのような構成にすれば、映像属性情報収集手段は、映像情報蓄積装置に蓄積されていない映像情報を要求する番組キーワードが入力された場合に、一又は二以上の映像配信装置から要求された映像情報を受信し、その映像情報から映像シーンを特定する属性情報を抽出することで、番組キーワードに対応する映像情報の属性情報を漏れなく収集することができ、また、映像情報蓄積装置から検索されなかった最小限の映像情報についてのみ一又は二以上の映像配信装置より検索するので、できる限り効率良く検索処理を行うことができる。
【００１６】
本発明の請求項５に記載の番組シナリオ配信装置は、請求項１〜４のいずれか一項に記載の番組シナリオ配信装置において、番組シナリオ作成手段により作成された番組シナリオ情報を蓄積するとともに、該蓄積された番組シナリオ情報に基づいて個人嗜好を分析する個人嗜好分析手段を備え、番組シナリオ作成手段は、個人嗜好分析手段により分析された個人嗜好を反映させて、番組シナリオ情報を作成する構成としてある。
【００１７】
番組シナリオ配信装置をこのような構成にすれば、番組シナリオ作成手段は、個人嗜好情報を反映させて番組シナリオ情報を作成しているので、個人嗜好の変化にも対応した番組シナリオ情報を作成することができる。このため、視聴者は、常に自己の要求する映像情報を取得することができる。
【００１８】
本発明の請求項６に記載の番組シナリオ配信システムは、番組キーワード及び番組要求条件を入力するとともに、映像情報の編集，再生を行う利用者側端末装置と、入力された番組キーワードに応じて映像情報を送信するとともに、入力された番組要求条件に基づいて作成した番組シナリオ情報を配信する番組シナリオ配信装置とを含む番組シナリオ配信システムであって、番組シナリオ配信装置は、利用者側端末装置から入力された所定映像シーンを指定する番組キーワードに基づいて、一又は二以上の映像配信装置が配信する映像情報から番組キーワードに応じた映像シーンを含む映像情報を検索する映像検索手段と、映像検索手段により検索された映像情報に含まれる映像シーンを特定する属性情報を収集する映像属性情報収集手段と、利用者側端末装置から入力された番組要求条件に合致するように、映像属性情報収集手段により収集された一又は二以上の属性情報によって特定される一又は二以上の映像シーンを抽出し、結合することで番組シナリオ情報を作成する番組シナリオ作成手段と、番組シナリオ作成手段により作成された番組シナリオ情報を送信する番組シナリオ送信手段とを備え、利用者側端末装置は、番組キーワードの入力に応じて番組シナリオ配信装置により検索された映像情報を受信する映像受信手段と、映像受信手段により受信された映像情報を格納する映像情報格納手段と、番組要求条件の入力に応じて番組シナリオ配信装置により配信された番組シナリオ情報に基づいて、映像情報格納手段に格納された映像情報を編集する映像編集手段と、映像編集手段により編集された映像情報を再生する番組再生手段とを備える構成としてある。
【００１９】
番組シナリオ配信システムをこのような構成にすれば、番組シナリオ配信装置は、入力された番組キーワードに基づいて、番組キーワードに応じた映像シーンを含む映像情報を検索するとともに、検索された映像情報から映像シーンを特定する属性情報を収集し、利用者側端末装置から入力された番組要求条件に基づいて番組シナリオ情報を作成することができる。また、利用者側端末装置は、番組キーワードの入力に応じて番組シナリオ配信装置により検索された映像情報を受信、蓄積し、番組要求条件の入力に応じて配信された番組シナリオ情報に基づいて、蓄積された映像情報を編集し再生することができる。
このため、視聴者は、利用者側端末装置から番組キーワード及び番組要求条件を入力するだけで、自動的に自己の要求通りに編集された映像情報を取得し、再生することができる。
また、番組シナリオ配信装置は、必要となる映像コンテンツの属性情報を収集するだけであるので、一又は二以上の映像配信装置により配信される多大な映像情報を管理把握する必要はない。
【００２０】
本発明の請求項７に記載の番組シナリオ配信方法は、利用者側端末装置から入力された所定映像シーンを指定する番組キーワードに基づいて、一又は二以上の映像配信装置が配信する映像情報から番組キーワードに応じた映像シーンを含む映像情報を検索する映像検索ステップと、映像検索ステップで検索された映像情報に含まれる前記映像シーンを特定する属性情報を収集する映像属性情報収集ステップと、利用者側端末装置から入力された番組要求条件に合致するように、映像属性情報収集ステップで収集された一又は二以上の属性情報によって特定される一又は二以上の映像シーンを抽出し、結合することで番組シナリオ情報を作成する番組シナリオ作成ステップと、番組シナリオ作成ステップで作成された番組シナリオ情報を送信する番組シナリオ送信ステップとを含む方法としてある。
【００２１】
番組シナリオ配信方法をこのような配信方法にすれば、利用者側端末装置から入力された所定映像シーンを指定する番組キーワードに応じた映像シーンを含む映像情報を検索できるとともに、その映像情報から映像シーンを特定する属性情報を収集し、利用者側端末装置から入力された番組要求条件に基づいて、番組シナリオ情報が作成でき、出力ができる。
このため、視聴者は、所望の番組キーワードと映像情報の番組要求条件とを番組シナリオ配信装置に利用者側端末装置を介して入力すれば、要求する映像情報を視聴者自らシナリオを描いて編集することなく、視聴者が要求する形式に編集された映像情報を容易に視聴することができる。
【００２２】
本発明の請求項８に記載の番組シナリオ配信プログラムは、利用者側端末装置から入力された所定映像シーンを指定する番組キーワードに基づいて、一又は二以上の映像配信装置が配信する映像情報から番組キーワードに応じた映像シーンを含む映像情報を検索する映像検索ステップと、映像検索ステップで検索された映像情報に含まれる前記映像シーンを特定する属性情報を収集する映像属性情報収集ステップと、利用者側端末装置から入力された番組要求条件に合致するように、映像属性情報収集ステップで収集された一又は二以上の属性情報によって特定される一又は二以上の映像シーンを抽出し、結合することで番組シナリオ情報を作成する番組シナリオ作成ステップと、番組シナリオ作成ステップで作成された番組シナリオ情報を送信する番組シナリオ送信ステップとを番組シナリオ配信装置に実行させる配信プログラムとしてある。
【００２３】
番組シナリオ配信プログラムをこのような配信プログラムにすれば、利用者側端末装置から入力された所定映像シーンを指定する番組キーワードに応じた映像シーンを含む映像情報を番組シナリオ配信装置に検索させるとともに、その映像情報から映像シーンを特定する属性情報を収集させ、利用者側端末装置から入力された番組要求条件に基づいて作成した番組シナリオ情報を出力させることができる。
このため、視聴者は、所望の番組キーワードと映像情報の番組要求条件とを番組シナリオ配信装置に利用者側端末装置を介して入力すれば、要求する映像情報を視聴者自らシナリオを描いて編集することなく、視聴者が要求する形式に編集された映像情報を容易に視聴することができる。
【００２４】
【発明の実施の形態】
以下、本発明の実施の形態について図面を参照して説明する。
［第一実施形態］
まず、本発明の第一実施形態に係る番組シナリオ配信システムについて図１を参照して説明する。
図１は、本発明の第一実施形態に係る番組シナリオ配信システムの全体構成図である。なお、図中の構成は、本発明を説明する上で最小限の構成である。
【００２５】
図１に示すように、番組シナリオ配信システムは、ＩＴ（Ｉｎｆｏｒｍａｔｉｏｎ  Ｔｅｃｈｎｏｌｏｇｙ）業者により管理運営されているｗｗｗサーバなどの番組シナリオ配信用サーバ装置（番組シナリオ配信装置）１０、映像コンテンツ提供者により提供される映像コンテンツ情報（映像情報）を配信する映像配信装置２０、視聴者の要求する映像コンテンツを再生可能に提供する映像再生装置（利用者側端末装置）３０、及び、映像配信装置２０により配信される映像コンテンツを、登場人物などにより区別される映像シーンを特定する映像属性情報（属性情報）ごとに予め蓄積した映像情報蓄積装置４０を有する。
また、番組シナリオ配信用サーバ装置１０，映像配信装置２０，映像再生装置３０は、インターネットなどの情報通信手段５０、又は地上波放送などの放送映像通信手段６０を介してそれぞれ接続されている。
【００２６】
以下、番組シナリオ配信用サーバ装置１０の内部構成について詳細に説明する。
図２は、本発明の第一実施形態に係る番組シナリオ配信システムにおける番組シナリオ配信装置の内部構成図である。
図２に示すように、番組シナリオ配信用サーバ装置１０は、映像検索手段１１、映像属性情報収集手段１２、映像受信手段１３、映像属性抽出手段１４、映像属性付加手段１５、番組要求条件分析手段１６、番組シナリオ作成手段１７、個人嗜好分析手段１８、番組シナリオ送信手段１９を有している。
【００２７】
映像検索手段１１は、視聴者により映像再生装置３０から情報通信手段５０又は放送映像通信手段６０を介して入力された登場人物などの映像シーンを指定する番組キーワード（例えば、「誰々のゴールシーン」）に基づいて、一又は二以上の映像配信装置２０から配信されて映像情報蓄積装置４０に蓄積された映像コンテンツの中から番組キーワードに応じた映像シーンを含む映像コンテンツ情報（例えば、コンテンツ名、配信場所、配信時刻）を検索するとともに、この検索された映像コンテンツ情報（検索結果情報）を映像再生装置３０へ情報通信手段５０を介して送信する。
また、映像検索手段１１は、映像情報蓄積装置４０から番組キーワードに応じた映像シーンを含む映像コンテンツが検索されない場合には、一又は二以上の映像配信装置２０から配信される映像コンテンツから番組キーワードに応じた映像シーンを含む映像コンテンツ情報を検索し、この映像コンテンツ情報（検索結果情報）を映像再生装置３０へ情報通信手段５０又は放送映像通信手段６０を介して送信する。
【００２８】
映像属性情報収集手段１２は、映像情報蓄積装置４０に蓄積され、映像検索手段１１により検索された映像コンテンツ情報から番組キーワードに応じた映像シーンを特定する映像属性情報を収集する。
また、映像属性情報収集手段１２は、映像検索手段１１により映像情報蓄積装置４０から番組キーワードに応じた映像シーンを含む映像コンテンツが検索されない場合には、一又は二以上の映像配信装置２０により配信される映像コンテンツから番組キーワードに応じた映像シーンの映像属性情報を収集する。
【００２９】
映像受信手段１３は、映像検索手段１１が映像情報蓄積装置４０から番組キーワードに応じた映像シーンを含む映像コンテンツを検索できない場合に、一又は二以上の映像配信装置２０から番組キーワードに応じた映像シーンを含む映像コンテンツを受信する。
映像属性抽出手段１４は、映像受信手段１３により受信した映像コンテンツから映像シーンごとの映像属性情報を抽出する。
映像属性付加手段１５は、映像属性抽出手段１４により抽出された映像属性情報を映像属性情報収集手段１２に付加する。
したがって、映像属性情報収集手段１２は、映像属性付加手段１５により付加された映像属性情報を得ることにより、一又は二以上の映像配信装置２０から配信される映像コンテンツから番組キーワードに応じた映像シーンの映像属性情報を収集することができる。
【００３０】
番組要求条件分析手段１６は、視聴者により映像再生装置３０から入力された視聴時間などの番組要求条件を分析し、番組シナリオ作成のための番組条件を生成する。例えば、視聴者が、「誰々のゴールシーン」を５分間のダイジェスト版に編集された映像を見たい場合に、番組要求条件として「５分間」及び「ダイジェスト」を映像再生装置３０の操作パネルなどから入力すると、番組要求条件分析手段１６は「５分間」，「ダイジェスト」をという番組条件を生成する。
番組シナリオ作成手段１７は、映像再生装置３０から入力された番組要求条件、すなわち、番組要求条件分析手段１６により分析され生成された番組条件に合致するように、映像属性情報収集手段１２により収集された一又は二以上の映像属性情報によって特定される一又は二以上の映像シーンを抽出し、結合することで、映像属性情報からなる番組シナリオ情報を作成する。
例えば、映像コンテンツＡと映像コンテンツＢに「誰々のゴールシーン」が含まれていることが検索された場合に、映像コンテンツＡの３０〜３２分の２分間と、映像コンテンツＢの１０〜１３分の映像シーンを抽出し結合することにより、「５分間のダイジェスト」となる番組シナリオ情報を作成する。
【００３１】
個人嗜好分析手段１８は、番組シナリオ作成手段１４により作成された番組シナリオ情報を蓄積するとともに、この蓄積された番組シナリオ情報に基づいて個人嗜好を分析する。
すなわち、個人嗜好分析手段１８は、視聴者により入力される番組キーワードとして、例えば、「配信時間１５：００〜１６：００」が指定されていることを、蓄積された番組シナリオ情報から数回に渡りを分析すると、この視聴者は、「配信時間１５：００〜１６：００」の映像コンテンツを嗜好するという個人嗜好情報を得る。
したがって、番組シナリオ作成手段１７は、かかる番組キーワード「配信時間１５：００〜１６：００」の指定がされていないときであっても、例えば、番組キーワードとして「誰々のゴールシーン」指定されており、その結果検索された映像コンテンツ情報が、「配信時間１５：１５〜１５：２０」の映像コンテンツ情報Ａと、「配信時間１８：０５〜１８：１５」の映像コンテンツ情報Ｂとであれば、個人嗜好情報「配信時間１５：００〜１６：００」に当てはまる映像コンテンツ情報Ａを選択して番組シナリオ情報を作成する。
番組シナリオ送信手段１９は、番組シナリオ作成手段１４により作成された番組シナリオ情報を映像再生装置３０に送信している。
【００３２】
以上のように、本第一実施形態に係る番組シナリオ配信装置によれば、映像再生装置３０から入力された所定映像シーンを指定する番組キーワードに応じた映像シーンを含む映像コンテンツ情報を検索できる。また、その映像コンテンツ情報から映像シーンを特定する映像属性情報を収集するとともに、映像再生装置３０から入力された番組要求条件に基づいて、番組シナリオ情報を作成し、出力することができる。
このため、視聴者は、映像再生装置３０により情報通信手段５０を介して、所望の番組キーワード「誰々のゴールシーン」と、映像情報の番組要求条件「５分間」，「ダイジェスト」とを番組シナリオ配信用サーバ装置１０へ入力すれば、「誰々のゴールシーン」を含むすべての映像コンテンツ情報と、その映像コンテンツ情報をもとに「５分間のダイジェスト」を作成するための番組シナリオ情報とを取得することができる。
【００３３】
次に、映像再生装置３０の内部構成について詳細に説明する。
図３は、本発明の第一実施形態に係る番組シナリオ配信システムにおける映像再生装置の内部構成図である。
図３に示すように、映像再生装置３０は、番組要求手段３１、放送映像受信手段（映像受信手段）３２、ネットワーク映像受信手段（映像受信手段）３３、映像コンテンツ格納手段（映像情報格納手段）３４、映像編集手段３５、番組再生手段３６を有している。
【００３４】
番組要求手段３１は、視聴者により入力された番組キーワード及び番組要求条件を読み取って、これらを情報通信手段５０を介して番組シナリオ配信用サーバ装置１０に送信する。
放送映像受信手段３２は、番組要求手段３１からの番組キーワードの入力に応じて番組シナリオ配信用サーバ装置１０により返信された検索結果情報に基づいて、番組キーワードに対応する映像コンテンツを映像配信装置２０から放送映像通信手段６０を介して受信する。
ネットワーク映像受信手段３３は、番組要求手段３１からの番組キーワードの入力に応じて番組シナリオ配信用サーバ装置１０により返信された検索結果情報に基づいて、番組キーワードに対応する映像コンテンツを映像配信装置２０から情報通信手段５０を介して受信する。
【００３５】
映像コンテンツ格納手段３４は、放送映像受信手段３２又はネットワーク映像受信手段３３により受信された映像コンテンツを格納する。
映像編集手段３５は、番組要求条件の入力に応じて番組シナリオ配信用サーバ装置１０により配信された番組シナリオ情報に基づいて、映像情報格納手段３４に格納された映像コンテンツを編集する。
番組再生手段３６は、映像編集手段３５により編集された映像コンテンツを再生する。
【００３６】
次に、以上のような構成を有する本第一実施形態に係る番組シナリオ配信システムの動作について、番組シナリオ配信用サーバ装置１０と映像再生装置３０とに分けて図面を参照して説明する。
図４は、本第一実施形態に係る映像再生装置の動作を示したフローチャートである。なお、ここでの映像コンテンツの配信はインターネットを用いたオンデマンド型のみで構成される場合、或いは、映像属性情報が映像情報蓄積装置４０内に蓄積されており、映像コンテンツ検索時に取得可能な場合について説明する。
【００３７】
図４において、まず、映像再生装置３０は、視聴者により番組キーワードと番組要求条件が入力されたか否かを判断する（ステップＳ４０１）。
番組キーワードと番組要求条件が入力されたと判断した場合には、この番組キーワードと番組要求条件とを番組シナリオ配信用サーバ装置１０へ転送する（ステップＳ４０２）。
次いで、映像再生装置３０は、検索結果情報及び番組シナリオ情報を番組シナリオ配信用サーバ装置１０から受信したか否かを判断する（ステップＳ４０３）。
検索結果情報及び番組シナリオ情報を受信したと判断した場合には、検索結果情報に基づいて、一又は二以上の映像コンテンツを映像情報蓄積装置４０又は映像配信装置２０へ要求する（ステップＳ４０４）。
【００３８】
そして、映像再生装置３０は、一又は二以上の映像コンテンツを受信したか否かを判断し（ステップＳ４０５）、受信したと判断された場合には受信した映像コンテンツを映像コンテンツ格納手段３４に格納する（ステップＳ４０６）。
次いで、受信していた番組シナリオ情報に基づいて、格納した映像コンテンツをトリーミングや結合などにより編集し（ステップＳ４０７）、編集した映像コンテンツを再生する（ステップＳ４０８）。
【００３９】
図５は、本第一実施形態に係る番組シナリオ配信用サーバ装置の動作を示したフローチャートである。なお、同様にここでの映像配信装置２０による映像コンテンツの配信はオンデマンド型のみで構成されるものとする。
図５において、まず、番組シナリオ配信用サーバ装置１０は、番組キーワードと番組要求条件を映像再生装置３０から受信したか否かを判断する（ステップＳ５０１）。
番組キーワードと番組要求条件を受信したと判断した場合には、この番組キーワードに基づいて、一又は二以上の映像配信装置２０が配信して映像情報蓄積装置４０に蓄積されている映像コンテンツから番組キーワードに応じた映像シーンを含む映像コンテンツを検索する（映像検索ステップ、ステップＳ５０２）。
【００４０】
次いで、番組シナリオ配信用サーバ装置１０は、ステップＳ５０２で検索された映像コンテンツに含まれる映像シーンを特定する映像属性情報を収集し（映像属性情報収集ステップ）、検索結果情報を映像再生装置３０へ送信する（ステップＳ５０３）。
そして、映像再生装置３０から入力された番組要求条件に合致するように、映像属性情報収集ステップで収集された一又は二以上の映像属性情報によって特定される一又は二以上の映像シーンを抽出し、結合することで番組シナリオ情報を作成する（番組シナリオ作成ステップ、ステップＳ５０４）。
次いで、ステップＳ５０４で作成された番組シナリオ情報を映像再生装置３０へ送信する（番組シナリオ送信ステップ、ステップＳ５０５）。
【００４１】
上記動作説明においては、映像コンテンツの配信がインターネットを用いたオンデマンド型のみで構成される場合、或いは、映像属性情報が映像情報蓄積装置４０内に蓄積されており、映像コンテンツ検索時に取得可能である場合について言及した。
以下では、映像コンテンツが放送映像などを含むライブ型映像コンテンツであって映像属性情報を映像コンテンツ検索時に取得できない場合の動作について説明する。
【００４２】
図６は、ライブ型映像コンテンツを扱う本第一実施形態に係る映像再生装置の動作を示したフローチャートである。
図６において、まず、映像再生装置３０は、視聴者により番組キーワードと番組要求条件が入力されたか否かを判断する（ステップＳ６０１）。
番組キーワードと番組要求条件が入力されたと判断した場合には、この番組キーワードと番組要求条件とを番組シナリオ配信用サーバ装置１０へ転送する（ステップＳ６０２）。
次いで、映像再生装置３０は、検索結果情報を番組シナリオ配信用サーバ装置１０から受信したか否かを判断する（ステップＳ６０３）。
検索結果情報を受信したと判断した場合には、この検索結果情報に基づいて一又は二以上の映像コンテンツを映像配信装置２０へ要求する（ステップＳ６０４）。
【００４３】
そして、映像再生装置３０は、一又は二以上の映像コンテンツを受信したか否かを判断し（ステップＳ６０５）、受信したと判断された場合には受信した映像コンテンツを映像コンテンツ格納手段３４に格納する（ステップＳ６０６）。
次いで、番組シナリオ情報を番組シナリオ配信用サーバ装置１０から受信したか否かを判断する（ステップＳ６０７）。
番組シナリオ情報を受信したと判断した場合には、この番組シナリオ情報に基づいて、格納した映像コンテンツをトリーミングや結合などにより編集し（ステップＳ６０８）、編集した映像コンテンツを再生する（ステップＳ６０９）。
【００４４】
図７は、ライブ型映像コンテンツを扱う本第一実施形態に係る番組シナリオ配信用サーバ装置の動作を示したフローチャートである。
図７において、まず、番組シナリオ配信用サーバ装置１０は、番組キーワードと番組要求条件を映像再生装置３０から受信したか否かを判断する（ステップＳ７０１）。
番組キーワードと番組要求条件を受信したと判断した場合には、この番組キーワードに基づいて、一又は二以上の映像配信装置２０が配信して映像情報蓄積装置４０に蓄積されている映像コンテンツから番組キーワードに応じた映像シーンを含む映像コンテンツを検索する（映像検索ステップ、ステップＳ７０２）。
【００４５】
次いで、番組シナリオ配信用サーバ装置１０は、ステップＳ７０２で検索された検索結果情報を映像再生装置３０へ送信する（ステップＳ７０３）。
そして、検索結果情報に基づいて映像配信装置２０から映像コンテンツを受信し、受信した映像コンテンツから一又は二以上の映像属性情報を抽出する（映像属性情報収集ステップ、ステップＳ７０４）。
映像再生装置３０から入力された番組要求条件に合致するように、ステップＳ７０４で抽出された一又は二以上の映像属性情報によって特定される一又は二以上の映像シーンを抽出し、結合することで番組シナリオ情報を作成する（番組シナリオ作成ステップ、ステップＳ７０５）。
次いで、ステップＳ７０５で作成された番組シナリオ情報を映像再生装置３０へ送信する（番組シナリオ送信ステップ、ステップＳ７０６）。
【００４６】
以上のように、本実施形態に係る番組シナリオ配信システムによれば、映像配信装置２０による映像コンテンツの配信方法がインターネットを用いたオンデマンド型、或いは、放送映像通信手段６０を用いたライブ型であっても、番組シナリオ配信装置２０は、入力された番組キーワードに基づいて、番組キーワードに応じた映像シーンを含む映像コンテンツを検索するとともに、検索された映像コンテンツから映像シーンを特定する映像属性情報を収集し、映像再生装置３０から入力された番組要求条件に基づいて番組シナリオ情報を作成することができる。
また、映像再生装置３０は、番組キーワードの入力に応じて番組シナリオ配信用サーバ装置１０により検索された映像コンテンツ情報に基づいて、映像配信装置２０から映像コンテンツを受信、蓄積し、番組要求条件の入力に応じて配信された番組シナリオ情報に基づいて、蓄積された映像コンテンツを編集し再生することができる。
【００４７】
このため、視聴者は、映像再生装置３０から番組キーワード及び番組要求条件を入力するだけで、自動的に自己の要求通りに編集された映像コンテンツを取得し、再生することができる。
また、番組シナリオ配信用サーバ装置１０は、必要な映像コンテンツの映像属性情報を収集するだけであるので、一又は二以上の映像配信装置２０により配信される多大な映像コンテンツを管理把握する必要がない。
【００４８】
［第二実施形態］
次に、本第二実施形態の番組シナリオ配信システムの構成について上記第一実施形態と異なる点を中心に説明する。
本第二実施形態に係る番組シナリオ配信システムのネットワーク構成は図１に示す上記第一実施形態と異なるところはない。上記第一実施形態と異なる点は、番組シナリオ配信用サーバ装置１０及び映像再生装置３０の内部構成にある。
【００４９】
図８は、本第二実施形態に係る番組シナリオ配信用サーバ装置の内部構成図、図９は、本第二実施形態に係る映像再生装置３０の内部構成図である。
図８において、番組シナリオ配信用サーバ１０は、新たな構成として、放送映像受信手段１１０、ネットワーク映像受信手段１１１、映像コンテンツ格納手段１１２、映像編集手段１１３を有している。
一方、図９に示すように、映像再生装置３０は、番組要求手段３１と番組再生手段３６のみの構成となる。
すなわち、本第二実施形態に係る番組シナリオ配信システムは、図３に示す上記第一実施形態に係る番組シナリオ配信システムの映像再生装置３０が有していた放送映像受信手段３２、ネットワーク映像受信手段３３、映像コンテンツ格納手段３４、映像編集手段３５を、番組シナリオ配信用サーバ１０内に移動させた構成からなる。
【００５０】
なお、本第二実施形態に係る番組シナリオ配信用サーバ装置１０が有する放送映像受信手段１１０、ネットワーク映像受信手段１１１、映像コンテンツ格納手段１１２、映像編集手段１１３のすべてにおける機能、動作は、上記第一実施形態の映像再生装置３０内に備えられたそれぞれに対応する構成と同一であるため、ここでの説明は省略する。
よって、映像再生装置３０は、番組シナリオ配信用サーバ装置１０内で視聴者により要求した番組シナリオに編集された映像コンテンツを作成した後、この編集済み映像コンテンツを受信して、再生することが可能となる。
【００５１】
さらに、本第二実施形態に係る番組シナリオ配信システムによれば、映像再生装置３０には、番組キーワードに応じた映像コンテンツのような非常に情報量の大きいデータを格納する必要がなくなるので、映像再生装置３０として汎用のパーソナルコンピュータや携帯端末装置などを適用することができる。
【００５２】
なお、本第二実施形態に係る番組シナリオ配信システムにおいては、映像コンテンツ提供者により映像配信装置２０から提供された映像コンテンツを、ＩＴ業者により番組シナリオ配信用サーバ装置１０で編集、加工して、視聴者に提供している。したがって、ＩＴ業者は映像コンテンツの著作権者に使用許諾を得るなどの適正な措置をとる必要があることは勿論である。
【００５３】
以上、本発明の番組シナリオ配信システムについて、好ましい実施形態を示して説明したが、本発明に係る番組シナリオ配信システムは、上述した実施形態にのみ限定されるものではなく、本発明の範囲で種々の変更実施が可能であることは言うまでもない。
【００５４】
また、上記第一及び第二実施形態に係る番組シナリオ配信用サーバ装置１０は、番組シナリオ配信プログラムに制御されるコンピュータにより実行することができる。番組シナリオ配信用サーバ装置１０の制御プログラムは、例えば、記録媒体により提供される。記録媒体としては、例えば、磁気ディスク、光ディスク、半導体メモリ、その他コンピュータで読み取り可能な任意の手段を使用することができる。
また、記録媒体に記録された番組シナリオ配信プログラムは、記録媒体を直接コンピュータに装着して当該コンピュータに読み込ませることができ、また、通信回線を介してコンピュータに読み込ませるようにしても良い。
【００５５】
【発明の効果】
以上説明したように本発明によれば、視聴者が要求する映像情報を視聴者自らシナリオを描いて編集することなく、視聴者が要求する形式に編集された映像情報を容易に視聴することができ、かつ、映像情報の管理を不要とすることができる。
【図面の簡単な説明】
【図１】本発明の第一実施形態に係る番組シナリオ配信システムの全体構成図である。
【図２】本発明の第一実施形態に係る番組シナリオ配信システムにおける番組シナリオ配信装置の内部構成図である。
【図３】本発明の第一実施形態に係る番組シナリオ配信システムにおける映像再生装置の内部構成図である。
【図４】本発明の第一実施形態に係る番組シナリオ配信システムにおける映像再生装置の動作を示したフローチャートである。
【図５】本発明の第一実施形態に係る番組シナリオ配信システムにおける番組シナリオ配信用サーバ装置の動作を示したフローチャートである。
【図６】本発明の第一実施形態に係る番組シナリオ配信システムにおける映像再生装置の動作を示したフローチャートである。
【図７】本発明の第一実施形態に係る番組シナリオ配信システムにおける番組シナリオ配信用サーバ装置の動作を示したフローチャートである。
【図８】本発明の第二実施形態に係る番組シナリオ配信システムにおける番組シナリオ配信装置の内部構成図である。
【図９】本発明の第二実施形態に係る番組シナリオ配信システムにおける映像再生装置の内部構成図である。
【符号の説明】
１０  番組シナリオ配信用サーバ装置（番組シナリオ配信装置）
２０  映像配信装置
３０  映像再生装置（利用者側端末装置）
４０  映像情報蓄積装置
１１  映像検索装置
１２  映像属性情報収集手段
１３  映像受信手段
１４  映像属性抽出手段
１５  映像属性付加手段
１６  番組要求条件分析手段
１７  番組シナリオ作成手段
１８  個人嗜好分析手段
１９  番組シナリオ送信手段
１１０  放送映像受信手段（映像受信手段）
１１１  ネットワーク受信手段（映像受信手段）
１１２  映像コンテンツ格納手段
１１３  映像編集手段
３１  番組要求手段
３２  放送映像受信手段（映像受信手段）
３３  ネットワーク受信手段（映像受信手段）
３４  映像コンテンツ格納手段
３５  映像編集手段
３６  番組再生手段
【図１】
2004318614.tif 000003
【図２】
2004318614.tif 000004
【図３】
2004318614.tif 000005
【図４】
2004318614.tif 000006
【図５】
2004318614.tif 000007
【図６】
2004318614.tif 000008
【図７】
2004318614.tif 000009
【図８】
2004318614.tif 000010
【図９】
2004318614.tif 000011